(57)【要約】【課題】保険契約者が保険を有効に活用できるようにする。【解決手段】実施形態の情報提供装置は、ユーザ識別情報の入力を受け付けた場合、ユーザ識別情報に対応するユーザが契約する保険情報を管理する第１のサーバに対して保険情報の送信を依頼する。また、情報提供装置は、ユーザ識別情報の入力を受け付けた場合、ユーザの医療機関での診察に基づく医療情報を管理する第２のサーバに対して医療情報の送信を依頼する。また、情報提供装置は、第１のサーバから保険情報を受信するとともに、第２のサーバから医療情報を受信し、受信した保険情報と、医療情報を比較して、医療情報に含まれる保険の適用が可能な支払い項目を出力する。【選択図】図３
2018180856.tif 000002
【特許請求の範囲】
【請求項１】
ユーザ識別情報の入力を受け付けた場合、前記ユーザ識別情報に対応するユーザが契約する保険情報を管理する第１のサーバに対して前記保険情報の送信を依頼するとともに、前記ユーザの医療機関での診察に基づく医療情報を管理する第２のサーバに対して前記医療情報の送信を依頼し、
前記第１のサーバから前記保険情報を受信するとともに、前記第２のサーバから前記医療情報を受信し、
受信した前記保険情報と、前記医療情報を比較して、前記医療情報に含まれる保険の適用が可能な支払い項目を出力する、
処理をコンピュータに実行させることを特徴とする情報提供プログラム。
【請求項２】
前記医療情報に基づいて、前記ユーザが前記医療機関で受けた医療サービスの履歴の一覧を作成する処理をコンピュータにさらに実行させ、
前記出力する処理は、前記履歴の一覧と前記保険情報とを比較して、前記履歴の一覧に対応する支払い項目を、保険の適用可否とともに出力することを特徴とする請求項１に記載の情報提供プログラム。
【請求項３】
前記出力する処理は、前記保険の適用が可能な支払い項目を、保険金が支払い済みであるか否かを示す情報とともに出力することを特徴とする請求項１又は２に記載の情報提供プログラム。
【請求項４】
前記医療情報に基づいて、前記ユーザが選択可能な治療方法の候補の一覧を作成する処理をコンピュータにさらに実行させ、
前記出力する処理は、前記候補の一覧と前記保険情報とを比較して、前記候補の一覧に対応する支払い項目を、保険の適用可否とともに出力することを特徴とする請求項１に記載の情報提供プログラム。
【請求項５】
予め定められた特定の病気ごとの前記ユーザがかかるリスクを示すスコアを、前記医療情報を基に計算する処理をコンピュータにさらに実行させ、
前記出力する処理は、前記特定の病気のうち、前記スコアが閾値以上である病気の一覧を、前記保険情報から取得した前記病気ごとの保険の適用の可否を示す情報とともにさらに出力することを特徴とする請求項１から４のいずれか１項に記載の情報提供プログラム。
【請求項６】
ユーザ識別情報の入力を受け付けた場合、前記ユーザ識別情報に対応するユーザが契約する保険情報を管理する第１のサーバに対して前記保険情報の送信を依頼するとともに、前記ユーザの医療機関での診察に基づく医療情報を管理する第２のサーバに対して前記医療情報の送信を依頼し、
前記第１のサーバから前記保険情報を受信するとともに、前記第２のサーバから前記医療情報を受信し、
受信した前記保険情報と、前記医療情報を比較して、前記医療情報に含まれる保険の適用が可能な支払い項目を出力する、
処理をコンピュータが実行することを特徴とする情報提供方法。
【請求項７】
ユーザ識別情報の入力を受け付けた場合、前記ユーザ識別情報に対応するユーザが契約する保険情報を管理する第１のサーバに対して前記保険情報の送信を依頼するとともに、前記ユーザの医療機関での診察に基づく医療情報を管理する第２のサーバに対して前記医療情報の送信を依頼する依頼部と、
前記第１のサーバから前記保険情報を受信するとともに、前記第２のサーバから前記医療情報を受信する受信部と、
受信した前記保険情報と、前記医療情報を比較して、前記医療情報に含まれる保険の適用が可能な支払い項目を出力する出力部と、
を有することを特徴とする情報提供装置。
【発明の詳細な説明】
【技術分野】
【０００１】
本発明の実施形態は、情報提供プログラム、情報提供方法及び情報提供装置に関する。
【背景技術】
【０００２】
国民の医療費の増大は重大な社会問題であり、将来の不安から今やほぼ全ての世帯が、民間生命保険会社が販売する医療保険又はガン保険（以降、保険という）に加入している。また、従来、保険を効率的に運用するための技術が知られている。例えば、医療機関の端末と、保険会社の端末と、金融機関の端末とをネットワークで接続し、患者の医療データ及び保険に関する情報に基づき、保険会社の口座から医療機関の口座への振り込み依頼を金融機関の端末に対して行うシステムが知られている。
【先行技術文献】
【特許文献】
【０００３】
【特許文献１】特開２００４−１２６７９３号公報
【特許文献２】特開２０１３−００３７５０号公報
【特許文献３】特開２０１３−１６４７５７号公報
【発明の概要】
【発明が解決しようとする課題】
【０００４】
しかしながら、上記の従来技術では、保険契約者が保険を有効に活用できない場合がある。従来技術は、保険会社が保険金請求を受けた後の手続きを効率化するものであるため、保険契約者が保険を有効に活用できるようにすることは困難である。
【０００５】
１つの側面では、保険契約者が保険を有効に活用できるようにすることを目的とする。
【課題を解決するための手段】
【０００６】
第１の案では、情報提供プログラムは、ユーザ識別情報の入力を受け付けた場合、前記ユーザ識別情報に対応するユーザが契約する保険情報を管理する第１のサーバに対して前記保険情報の送信を依頼する。また、情報提供プログラムは、前記ユーザの医療機関での診察に基づく医療情報を管理する第２のサーバに対して前記医療情報の送信を依頼する処理をコンピュータに実行させる。また、情報提供プログラムは、前記第１のサーバから前記保険情報を受信するとともに、前記第２のサーバから前記医療情報を受信する処理をコンピュータに実行させる。また、情報提供プログラムは、受信した前記保険情報と、前記医療情報を比較して、前記医療情報に含まれる保険の適用が可能な支払い項目を出力する処理をコンピュータに実行させる。
【発明の効果】
【０００７】
本発明の１実施態様によれば、保険契約者が保険を有効に活用できる。
【図面の簡単な説明】
【０００８】
【図１】図１は、実施形態にかかる情報提供システムを説明する説明図である。
【図２】図２は、実施形態にかかるユーザ端末の機能構成例を示すブロック図である。
【図３】図３は、実施形態にかかる情報提供装置の機能構成例を示すブロック図である。
【図４】図４は、認証情報を説明する説明図である。
【図５】図５は、保険情報を説明する説明図である。
【図６】図６は、保険情報を説明する説明図である。
【図７】図７は、医療情報を説明する説明図である。
【図８】図８は、傷病情報を説明する説明図である。
【図９】図９は、手術情報を説明する説明図である。
【図１０】図１０は、マッチング処理について説明する説明図である。
【図１１】図１１は、ポータル画面の一例を示す図である。
【図１２】図１２は、診療後画面の一例を示す図である。
【図１３】図１３は、治療後画面の一例を示す図である。
【図１４】図１４は、治療後画面の一例を示す図である。
【図１５】図１５は、情報提供に関する処理の一例を示すシーケンス図である。
【図１６】図１６は、実施形態にかかる情報提供装置のハードウエア構成例を示すブロック図である。
【発明を実施するための形態】
【０００９】
以下、図面を参照して、実施形態にかかる情報提供プログラム、情報提供方法及び情報提供装置を説明する。実施形態において同一の機能を有する構成には同一の符号を付し、重複する説明は省略する。なお、以下の実施形態で説明する情報提供プログラム、情報提供方法及び情報提供装置は、一例を示すに過ぎず、実施形態を限定するものではない。また、以下の各実施形態は、矛盾しない範囲内で適宜組みあわせてもよい。
【００１０】
図１は、実施形態にかかる情報提供システムを説明する説明図である。図１に示すように、情報提供システム１は、ユーザ端末１０ａ、ユーザ端末１０ｂ、及び各ユーザ端末と接続された情報提供装置２０を有する。また、情報提供装置２０は、保険情報管理システム３０及び医療情報管理システム４０と接続されている。情報提供システム１において、ユーザ端末１０、情報提供装置２０、保険情報管理システム３０及び医療情報管理システム４０は、インターネット、ＬＡＮ（Local  Area  Network）などの通信ネットワークを介して互いに通信可能に接続されている。
【００１１】
具体的には、ユーザ端末１０ａ及びユーザ端末１０ｂは、ＰＣ（Personal  Computer）、スマートフォン、タブレット端末などを適用できる。また、情報提供装置２０は、クラウド上のサーバ装置を適用できる。また、保険情報管理システム３０及び医療情報管理システム４０は、サーバ装置を適用できる。なお、以降の説明で、ユーザ端末１０ａ及びユーザ端末１０ｂについて、それぞれを区別しない場合、単にユーザ端末１０と呼ぶ。
【００１２】
また、情報提供装置２０は、保険情報管理システム３０及び医療情報管理システム４０から取得した情報に基づいて、ユーザ端末１０に情報を提供する。情報提供装置２０は、一例として、保険契約者である地方在住の父や、当該保険契約者の家族である都内在住の息子に保険情報及び医療情報を提供する。このように、情報提供装置２０によれば、保険契約者と家族との間で情報を共有することが可能となる。
【００１３】
保険情報管理システム３０は、生命保険会社等のシステムであり、保険契約者の情報の管理等に用いられる。また、保険情報管理システム３０には、例えば保険会社の従業員が操作する端末等から情報が入力される。保険情報管理システム３０は、保険契約者情報３０１や、保険商品情報３０２等を記憶する。例えば、保険契約者情報３０１には、保険契約者を識別するＩＤ、保険契約者ごとの証券番号、保険商品、保険金の支払い履歴などが格納されている。また、例えば、保険商品情報３０２には、保険商品を識別するＩＤ、保険商品ごとの保障内容などが格納されている。
【００１４】
医療情報管理システム４０は、医療機関等のシステムであり、患者の情報の管理等に用いられる。また、保険情報管理システム３０には、例えば病院、薬局等の各機関のほか、測定器等から情報が入力される。医療情報管理システム４０は、患者情報４０１や、カルテ情報４０２などを記憶する。例えば、患者情報４０１には、患者を識別するＩＤ、患者ごとの健康保険番号、患者の身長、体重、血液に関する情報などが格納されている。また、例えば、カルテ情報４０２には、患者の診療履歴ごとの診療日、診察内容、病名、手術名などが格納されている。また、医療情報管理システム４０が記憶する情報には、さらに、レセプト、健診結果、お薬手帳、バイタル情報、生活情報等が含まれていてもよい。
【００１５】
図２は、実施形態にかかるユーザ端末の機能構成例を示すブロック図である。図２に示すように、ユーザ端末１０は、入力部１１、表示部１２、通信部１３、記憶部１４及び制御部１５を有する。
【００１６】
入力部１１は、入力装置などからのユーザの操作入力を受け付けるＵＩ（ユーザ・インタフェース）である。また、表示部１２は、モニタなどへの画面表示を行う。また、通信部１３は、ネットワークを介して、他の外部装置とデータ通信を実行する装置である。記憶部１４は、例えば半導体メモリなどであり、各種情報を記憶する。制御部１５は、ユーザ端末１０における各種動作を制御する。
【００１７】
制御部１５は、要求部１５１を有する。制御部１５は、ＣＰＵ（Central  Processing  Unit）やＭＰＵ（Micro  Processing  Unit）などによって実現できる。また、制御部１５は、ＡＳＩＣ（Application  Specific  Integrated  Circuit）やＦＰＧＡ（Field  Programmable  Gate  Array）などのハードワイヤードロジックによっても実現できる。
【００１８】
要求部１５１は、情報提供装置２０に、ユーザの認証処理を実行することを要求する。このとき、要求部１５１は、ユーザ識別情報を情報提供装置２０に送信する。ユーザ識別情報は、例えば、ユーザＩＤ及びパスワードである。また、ユーザ識別情報は、ユーザによって入力されてもよいし、記憶部１４に記憶されていてもよい。また、ユーザ識別情報は、マイナンバーであってもよい。
【００１９】
図３は、実施形態にかかる情報提供装置の機能構成例を示すブロック図である。図３に示すように、情報提供装置２０は、通信部２１、記憶部２２及び制御部２３を有する。
【００２０】
通信部２１は、ネットワークを介して、他の外部装置とデータ通信を実行する装置である。記憶部１４は、例えば半導体メモリなどであり、認証情報２２１、保険情報２２２、医療情報２２３、傷病情報２２４及び手術情報２２５を記憶する。
【００２１】
図４は、認証情報を説明する説明図である。図４に示すように、認証情報２２１には、ユーザＩＤ、パスワード、ニックネーム、証券番号及び健康保険番号などが格納されている。ニックネームは、ユーザ端末１０、保険情報管理システム３０、医療情報管理システム４０等に係る画面や印刷物等に、ユーザの氏名の代わりに表示される場合がある。証券番号は、保険情報管理システム３０においてユーザを識別する番号である。また、健康保険番号は、医療情報管理システム４０においてユーザを識別する番号である。
【００２２】
図４に示すように、認証情報２２１には、例えば、ユーザＩＤが「Ｕ１１１２２２」であるユーザのパスワードは「ｘｘｘｘｘｘ」であり、ニックネームは「鶴彦」であることが記憶されている。また、認証情報２２１には、例えば、ユーザＩＤが「Ｕ１１１２２２」であるユーザの証券番号は「Ｓ７７７７８８８８」であり、健康保険番号は「Ｋ４４４４４５５５５５」であることが記憶されている。
【００２３】
保険情報２２２は、認証したユーザの保険に関する情報である。例えば、情報提供装置２０は、ユーザの認証が成功すると、当該ユーザの証券番号をキーとして、保険に関する情報を保険情報管理システム３０から取得し、取得した情報を一時的に保険情報２２２として記憶部２２に記憶させる。保険情報２２２には、保険契約者に関する情報と保険商品に関する情報とが含まれる。保険情報２２２は、保険契約者に関する情報及び保険商品に関する情報のそれぞれに対応したテーブルを別々に有していてもよい。
【００２４】
図５は、保険情報を説明する説明図である。図５は、特に、保険情報２２２のうち保険契約者に関する情報を説明する図である。保険情報２２２には、保険契約者に関する情報として、ユーザＩＤ、証券番号、商品コード、入院給付条件、入院日額などが格納されている。ユーザＩＤ及び証券番号は、ユーザを識別するための情報である。商品コードは、ユーザが加入している保険商品を識別するコードである。入院給付条件及び入院日額は、入院時に保険金が支払われる条件及び日額であり、ユーザの基本的な保障内容の例である。
【００２５】
以降の説明で、「支払い」とは、保険金が保険契約者に支払われることを指すものとする。また、「費用」とは、医療サービスを受けたことによって発生した医療費を指すものとする。また、「支払い項目」とは、保険が適用される可能性がある医療サービスの履歴の項目である。
【００２６】
例えば、保険契約者が医療機関で診察を受けた場合、医療機関は保険契約者に費用を請求する。このとき、診察という支払い項目が保険適用の対象になる場合、保険会社は、費用のうちの所定の割合を保険契約者に保険金として支払う。
【００２７】
図５に示すように、保険情報２２２の保険契約者に関する情報には、例えば、ユーザＩＤが「Ｕ１１１２２２」であるユーザの証券番号は「Ｓ７７７７８８８８」であり、加入している商品の商品コードが「９９９」であることが記憶されている。また、保険情報２２２の保険契約者に関する情報には、例えば、ユーザＩＤが「Ｕ１１１２２２」であるユーザの入院給付条件は「１」であり、入院日額は「１５，０００」であることが記憶されている。なお、入院給付条件は、内容ごとに予め定められた区分で表される。例えば、入院給付条件が「１」である場合、病名にかかわらず１日目から入院給付金が支払われる。
【００２８】
図６は、保険情報を説明する説明図である。図６は、特に、保険情報２２２のうち保険商品に関する情報を説明する図である。保険情報２２２には、保険契商品に関する情報として、商品コード、手術コード、手術給付率などが格納されている。商品コードは、保険商品を識別するコードである。手術コードは、手術を識別するコードである。手術給付率は、手術ごとの入院日額に対する給付率である。また、保険情報２２２の手術コード及び手術給付率の項目の数は可変であってもよい。これは、手術コードの数は保険商品によって異なるためである。
【００２９】
図６に示すように、保険情報２２２の保険商品に関する情報には、例えば、商品コードが「９９９」である保険商品の手術コード（１）は「Ｋ０４６２」であり、手術給付率（１）は「５００」であることが記憶されている。また、保険情報２２２の保険商品に関する情報には、例えば、商品コードが「９９９」である保険商品の手術コード（２）は「Ｋ０４６３」であり、手術給付率（２）は「５００」であることが記憶されている。
【００３０】
医療情報２２３は、認証したユーザの医療に関する情報である。例えば、情報提供装置２０は、ユーザの認証が成功すると、当該ユーザの健康保険番号をキーとして、医療に関する情報を医療情報管理システム４０から取得し、取得した情報を一時的に医療情報２２３として記憶部２２に記憶させる。
【００３１】
図７は、医療情報を説明する説明図である。医療情報２２３には、ユーザＩＤ、健康保険番号、診察日、傷病コード、名目、内容、費用、手術候補及び入院日数候補などが格納されている。ユーザＩＤ及び健康保険番号は、ユーザを識別するための情報である。診察日、傷病コード、名目、内容及び費用は、ユーザが医療機関で医療サービスを受けた際の履歴である。また、手術候補及び入院日数候補は、診察結果等に基づいて病院等から候補として提示される手術の手術コード及び入院日数である。また、医療サービスには、診察、手術入院、薬の処方等が含まれる。また、医療情報２２３の手術候補及び入院日数候補の項目の数は可変であってもよい。これは、手術候補の数は傷病や診察結果等によって異なるためである。
【００３２】
図７に示すように、医療情報２２３には、例えば、ユーザＩＤが「Ｕ１１１２２２」であるユーザの健康保険番号は「Ｋ４４４４４５５５５５」であり、「２０１７０２２５」に医療サービスを受けたことが記憶されている。また、医療情報２２３には、診察の際の傷病コード、名目、内容及び費用が、それぞれ「Ｓ４２０１」、「富士病院」、「手術入院」及び「４０，０００」であったことが記憶されている。また、医療情報２２３には、手術候補（１）が「Ｋ０４６３」であり、入院日数候補（１）が「４」であることが記憶されている。また、医療情報２２３には、手術候補（２）が「Ｋ０４４３」であり、入院日数候補（２）が「４」であることが記憶されている。また、医療情報２２３には、手術候補（３）が「Ｋ０４７２」であり、入院日数候補（３）が「１０」であることが記憶されている。
【００３３】
傷病情報２２４は、傷病に関する情報である。図８は、傷病情報を説明する説明図である。傷病情報２２４には、傷病コード、傷病名称、対応手術コード及び平均的医療費などが格納されている。傷病コードは、傷病を識別するための情報である。傷病名称は、傷病コードごとの傷病の名称である。対応手術コードは、傷病に対応した手術コードの候補である。平均的医療費は、予め設定された傷病ごとの平均的な医療費である。
【００３４】
図８に示すように、傷病情報２２４には、例えば、傷病コードが「Ｓ４２０１」である傷病の傷病名称は「左鎖骨遠位端骨折」であり、対応手術コードは「Ｋ０４６３，Ｋ０４４３，Ｋ０４７２」であることが記憶されている。また、傷病情報２２４には、例えば、傷病コードが「Ｓ８５０１」である傷病の傷病名称は「脳梗塞」であり、平均的医療費は「２５０万円／年」であることが記憶されている。
【００３５】
なお、傷病情報２２４は、情報提供装置２０に記憶されていなくてもよい。例えば、情報提供装置２０は、傷病情報２２４を、必要に応じて保険情報管理システム３０、医療情報管理システム、又は他のシステムから取得するようにしてもよい。また、医療情報２２３の手術候補（１）〜（３）は、傷病コードをキーとして傷病情報２２４から取得した対応手術コードであってもよい。
【００３６】
手術情報２２５は、手術に関する情報である。図９は、手術情報を説明する説明図である。手術情報２２５には、手術コード、手術名称、手術費用などが格納されている。手術コードは、手術を識別するための情報である。手術名称は、手術コードごとの手術の名称である。手術費用は、手術コードごとの費用である。
【００３７】
図９に示すように、手術情報２２５には、例えば、手術コードが「Ｓ０４６３」である手術の手術名称は「骨折観血的手術［鎖骨］」であり、手術費用は「２０，０００」であることが記憶されている。
【００３８】
制御部２３は、情報提供装置２０における各種動作を制御する。制御部２３は、認証部２３１、依頼部２３２、受信部２３３、作成部２３４、計算部２３５及び出力部２３６を有する。制御部２３は、ＣＰＵやＭＰＵなどによって実現できる。また、制御部２３は、ＡＳＩＣやＦＰＧＡなどのハードワイヤードロジックによっても実現できる。
【００３９】
認証部２３１は、ユーザ端末から送信されたユーザ識別情報を基に、ユーザの認証を行う。認証部２３１は、ユーザ識別情報に含まれるユーザＩＤ及びパスワードの組み合わせが、認証情報２２１に対応づけられて格納されているか否かを判定することで認証を行う。その後、認証部２３１は、ユーザ識別情報を依頼部２３２に入力する。
【００４０】
依頼部２３２は、ユーザ識別情報の入力を受け付けた場合、ユーザ識別情報に対応するユーザが契約する保険情報を管理する第１のサーバに対して保険情報の送信を依頼する。保険情報管理システム３０は、第１のサーバの一例である。
【００４１】
また、依頼部２３２は、ユーザ識別情報の入力を受け付けた場合、ユーザの医療機関での診察に基づく医療情報を管理する第２のサーバに対して医療情報の送信を依頼する。医療情報管理システム４０は、第２のサーバの一例である。
【００４２】
受信部２３３は、第１のサーバから保険情報を受信するとともに、第２のサーバから医療情報を受信する。ここで、受信部２３３は、受信した保険情報及び医療情報を、それぞれ保険情報２２２及び医療情報２２３として記憶部２２に格納する。また、出力部２３６は、受信した保険情報２２２と、医療情報２２３を比較して、医療情報に含まれる保険の適用が可能な支払い項目を出力する。
【００４３】
ここで、図１０を用いて、出力部２３６が保険情報２２２と医療情報２２３とを比較する際に行うマッチング処理について説明する。図１０は、マッチング処理について説明する説明図である。まず、出力部２３６は、医療情報２２３を参照し、手術候補及び入院日数候補を取得する。ここでは、図７に示すように、医療情報２２３には、手術候補（１）〜（３）、及び入院日数候補（１）〜（３）が格納されていることとする。以降、手術候補（１）〜（３）、及び入院日数候補（１）〜（３）を支払い項目とする。
【００４４】
次に、出力部２３６は、保険情報２２２を参照し、手術候補（１）〜（３）の手術コードが、ユーザが契約している保険商品の保障内容に含まれているか否かを確認する。また、出力部２３６は、保険情報２２２を参照し、ユーザの入院給付条件が、入院時に保険金が支払われるものであるか否かを確認する。
【００４５】
そして、出力部２３６は、手術候補（１）〜（３）のうち、手術コードが保障内容に含まれているものについては、「適用可」と判定する。一方、出力部２３６は、手術候補（１）〜（３）のうち、手術コードが保障内容に含まれていないものについては、「適用不可」と判定する。
【００４６】
また、ユーザの入院給付条件が、入院時に保険金が支払われるものである場合、入院日数候補（１）〜（３）について「適用可」と判定する。また、ユーザの入院給付条件が、入院時に保険金が支払われるものでない場合、入院日数候補（１）〜（３）について「適用不可」と判定する。
【００４７】
図１０の例において、手術コード「Ｋ０４６３」は、図６に示すように、保険情報２２２に手術コード（２）として含まれているため、出力部２３６は、手術候補（１）を「適用可」と判定する。また、図５に示すように、ユーザの入院給付条件は「１」であり、病名にかかわらず１日目から入院給付金が支払われるものであるため、出力部２３６は、入院日数候補（１）を「適用可」と判定する。
【００４８】
また、出力部２３６は、所定の計算式により、「適用可」と判定した支払い項目の支払い金額を計算する。例えば、出力部２３６は、手術候補（１）の支払い金額を、保険情報２２２の入院日額に手術給付率（２）を乗じることによって計算する。この場合、図１０に示すように、出力部２３６は、手術候補（１）の支払い金額を、「日額１５，０００×５００％＝７５，０００」と計算する。
【００４９】
また、出力部２３６は、保険の適用が可能な支払い項目だけでなく、全ての支払い項目を保険の適用可否とともに出力してもよい。このとき、作成部２３４は、医療情報に基づいて、ユーザが医療機関で受けた医療サービスの履歴の一覧を作成する。出力部２３６は、履歴の一覧と保険情報とを比較して、履歴の一覧に対応する支払い項目を、保険の適用可否とともに出力する。また、出力部２３６は、保険の適用が可能な支払い項目を、保険金が支払い済みであるか否かを示す情報とともに出力する。なお、出力部２３６は、支払い項目ごとに、保険金が支払い済みであるかを、保険情報管理システム３０の保険契約者情報３０１から取得する。
【００５０】
計算部２３５は、予め定められた特定の病気ごとのユーザがかかるリスクを示すスコアを、医療情報２２３を基に計算する。また、出力部２３６は、特定の病気のうち、スコアが閾値以上である病気の一覧を、保険情報２２２から取得した病気ごとの保険の適用の可否を示す情報とともにさらに出力する。ここで、特定の病気とは、例えば傷病情報２２４に含まれる病気である。また、計算部２３５は、医療機関や保険会社から提供される既存の計算モデルを用いてスコアの計算を行ってもよい。また、計算部２３５は、医療情報管理システム４０等から取得した情報を基に、所定の手法を用いて構築した計算モデルを用いて計算を行ってもよい。
【００５１】
ここで、出力部２３６は、マッチング処理の結果に関する情報、及びスコアが閾値以上である病気の一覧に関する情報をユーザ端末１０に出力する。そして、ユーザ端末１０の表示部１２は、出力部２３６によって出力された情報を、ポータル画面に表示する。図１１は、ポータル画面の一例を示す図である。
【００５２】
図１１に示すように、表示部１２は、ポータル画面の健康状態表示領域１２１に、ユーザのニックネーム及び直近の健康状態を表示する。健康状態には、例えば、血糖、血圧、尿酸、体重等の値が含まれる。また、右向き矢印のアイコンがクリックされると、表示部１２は、ユーザの健康状態に関する詳細画面を表示する。
【００５３】
また、表示部１２は、ポータル画面の病歴表示領域１２２に、出力部２３６によるマッチング処理の結果に関する情報を表示する。表示部１２は、ポータル画面の病歴表示領域１２２に、履歴ごとの日付、名目、内容、費用を表示する。また、詳細クリック欄のアイコンは、マッチングの結果に基づく情報等を示している。また、右向き矢印のアイコンがクリックされると、表示部１２は、全履歴を表示する。
【００５４】
また、図１１の例では、表示部１２は、１つの履歴に対し１つの支払い項目を表示しているが、１つの履歴に対し複数の支払い項目を表示してもよい。例えば、１度の通院で診察及び手術入院の両方を受けた場合、表示部１２は、内容を「診察及び手術」などとし、費用の合計を表示してもよいし、診察及び手術に対応する費用をそれぞれ異なる行に表示してもよい。
【００５５】
医療情報２２３に支払い項目に対応する手術候補又は入院日数候補が存在している場合、表示部１２は、当該支払い項目に対応する行にアイコン１２２ａを表示する。また、アイコン１２２ａがクリックされると、表示部１２は、診察後画面を表示する。また、マッチング処理の結果が「適用可」であり、保険金が支払い済みである場合、表示部１２は、当該支払い項目に対応する行にアイコン１２２ｂを表示する。また、アイコン１２２ｂがクリックされると、表示部１２は、治療後画面を表示する。また、マッチング処理の結果が「適用可」であり、保険金が支払い済みでない場合、表示部１２は、当該支払い項目に対応する行にアイコン１２２ｃを表示する。また、アイコン１２２ｃがクリックされると、表示部１２は、治療後画面を表示する。また、マッチング処理の結果が「適用不可」である場合、表示部１２は、当該支払い項目に対応する行にアイコン１２２ａ、１２２ｂ及びアイコン１２２ｃのいずれも表示しない。
【００５６】
例えば、図１１のポータル画面は、保険契約者が１０／１２に富士病院で受けた手術入院の費用が￥７０，０００であり、保険金が支払い済みであることを示している。また、図１１のポータル画面は、保険契約者が２／２５に行った富士病院で受けた手術入院の費用が￥４０，０００であり、保険金が支払い済みでないことを示している。
【００５７】
また、表示部１２は、ポータル画面の病気リスク表示領域１２３に、出力部２３６によって出力された病気の一覧、及び病気ごとの保険の適用の可否を示す情報を表示する。表示部１２は、ポータル画面の病歴表示領域１２２に、病気ごとの病名、リスク、医療費を表示する。また、詳細クリック欄のアイコンは、保険の適用の可否を示している。また、右向き矢印のアイコンがクリックされると、表示部１２は、全病気の一覧を表示する。リスクは、計算部２３５によって計算されたスコアに基づく値である。また、医療費は、傷病情報２２４の平均的医療費である。
【００５８】
表示部１２は、病気への保険の適用が可能である場合、アイコン１２３ａを表示する。アイコン１２３ａがクリックされると、表示部１２は、保険の適用条件や支払い金額のシミュレーション画面を表示する。また、表示部１２は、病気への保険の適用が不可能である場合、アイコン１２３ｂを表示する。アイコン１２３ｂがクリックされると、表示部１２は、当該病気へ適用可能なおすすめ商品を紹介し、保険の適用条件や支払い金額のシミュレーション画面を表示する。
【００５９】
例えば、図１１のポータル画面は、保険契約者が脳梗塞にかかるリスクが１．２５倍であり、かかった場合の医療費が２５０万円／年であり、保険の適用が可能であることを示している。また、図１１のポータル画面は、保険契約者が糖尿病にかかるリスクが１．１６倍であり、かかった場合の医療費が３．６万円／月であり、保険の適用が可能であることを示している。
【００６０】
また、アイコン１２４がクリックされると、メール、チャット、電話等による問い合わせ機能が起動する。例えば、アイコン１２４がクリックされると、問い合わせ先として保険会社のメールアドレスが入力された状態でメールクライアントが起動する。また、アイコン１２４がクリックされた際に起動する問い合わせ機能の問い合わせ先は、医療機関であってもよいし、保険契約者の家族であってもよい。
【００６１】
図１２は、診療後画面の一例を示す図である。図１２に示すように、表示部１２は、診療後画面に、医療情報２２３の手術候補の一覧を表示する。また、表示部１２は、診療後画面に、手術候補ごとの手術及び入院のそれぞれについて、費用及び保障を表示する。保障とは、手術及び入院に対する保険の支払い金額である。これにより、保険契約者は、保険を考慮したうえで治療方法の検討を行うことができる。例えば、図１２の診療後画面は、保険契約者が骨折観血的手術［鎖骨］による治療を受けた場合の費用が４０，０００円であり、その際の保障が１３５，０００円であることを示している。
【００６２】
図１３は、治療後画面の一例を示す図である。図１３は、保険金が支払い済みである場合の治療後画面の一例である。図１３に示すように、保険金が支払い済みである場合、表示部１２は、治療後画面に費用及び保障を表示し、また、表示部１２は、保険金の支払いが行われた金融機関や金額に関する情報を表示する。例えば、図１３の治療後画面は、保険契約者が難治性骨折超音波治療法による治療を受けたときの費用が７０，０００円であり、その際、１５０，０００円の保険金が支払われたことを示している。
【００６３】
図１４は、治療後画面の一例を示す図である。図１４は、保険金が支払い済みでない場合の治療後画面の一例である。図１４に示すように、保険金が支払い済みでない場合、表示部１２は、治療後画面に費用及び保障を表示し、また、保険金の支払いが行われていない旨のメッセージを表示する。また、表示部１２は、治療後画面に、保険金の支払いを依頼する機能を起動するボタンを表示する。例えば、図１４の治療後画面は、保険契約者が抜釘術による治療を受けたときの費用が４０，０００円であり、１３５，０００円の保険金が未払いであることを示している。
【００６４】
図１５は、情報提供に関する処理の一例を示すシーケンス図である。図１５に示すように、ユーザ端末１０は、ユーザによるユーザ識別情報の入力を受け付ける（Ｓ１０１）。ユーザ識別情報にはユーザのユーザＩＤ及びパスワードが含まれる。ユーザは、例えば、保険契約者であってもよいし、保険契約者の家族であってもよい。次に、ユーザ端末１０ａの要求部１５１は、情報提供装置２０にユーザ識別情報を送信するとともに、認証を要求する（Ｓ１０２）。
【００６５】
ここで、情報提供装置２０の認証部２３１は、ユーザ端末１０から認証の要求を受けると、ユーザ識別情報に含まれるユーザＩＤ及びパスワードを用いて認証を行う（Ｓ１０３）。
【００６６】
ここで、認証部２３１により認証がされなかった場合（Ｓ１０４：Ｎｏ）、情報提供装置２０は、ユーザ端末１０に通知を行い、以降の処理を行わない。一方、認証部２３１により認証がされた場合（Ｓ１０４：Ｙｅｓ）、依頼部２３２は、保険情報管理システム３０に保険情報の送信を依頼する（Ｓ１０５）。そして、保険情報管理システム３０は、情報提供装置２０に保険情報を送信する（Ｓ１０６）。ここで、受信部２３３は、保険情報を受信し（Ｓ１０７）、受信した保険情報を記憶部２２に格納する（Ｓ１０８）。
【００６７】
また、依頼部２３２は、医療情報管理システム４０に医療情報の送信を依頼する（Ｓ１０９）。そして、医療情報管理システム４０は、情報提供装置２０に医療情報を送信する（Ｓ１１０）。ここで、受信部２３３は、医療情報を受信し（Ｓ１１１）、受信した医療情報を記憶部２２に格納する（Ｓ１１２）。
【００６８】
次に、出力部２３６は、保険情報及び医療情報を用いてマッチング処理を行う（Ｓ１１３）。そして、出力部２３６は、マッチング処理の結果をユーザ端末１０に出力する（Ｓ１１４）。そして、ユーザ端末１０は、出力部２３６によって出力されたマッチング処理の結果を表示する（Ｓ１１５）。また、ユーザ端末１０は、ユーザの操作に応じて、医療機関、保険会社、契約者の家族への問い合わせや連絡を行うための機能や、保険金の支払いを依頼する機能を起動することができる。
【００６９】
以上のように、情報提供装置２０は、ユーザ識別情報の入力を受け付けた場合、ユーザ識別情報に対応するユーザが契約する保険情報を管理する第１のサーバに対して保険情報の送信を依頼する。また、情報提供装置２０は、ユーザ識別情報の入力を受け付けた場合、ユーザの医療機関での診察に基づく医療情報を管理する第２のサーバに対して医療情報の送信を依頼する。また、情報提供装置２０は、第１のサーバから保険情報を受信するとともに、第２のサーバから医療情報を受信する。また、情報提供装置２０は、受信した保険情報と、医療情報を比較して、医療情報に含まれる保険の適用が可能な支払い項目を出力する。このため、情報提供装置２０によれば、保険契約者は、保険を有効に活用できるようになる。例えば、保険契約者は、情報提供装置２０によって出力された情報をユーザ端末１０で閲覧し、医師や家族との相談、保険金の未払いの確認、保険会社との保険の見直しの相談などを行うことができるようになり、その結果、保険を有効に活用できるようになる。
【００７０】
情報提供装置２０は、医療情報に基づいて、ユーザが医療機関で受けた医療サービスの履歴の一覧を作成することができる。このとき、情報提供装置２０は、履歴の一覧と保険情報とを比較して、履歴の一覧に対応する支払い項目を、保険の適用可否とともに出力することができる。このため、情報提供装置２０によれば、ユーザは、保険が適用可能な支払い項目を容易に確認することができる。
【００７１】
情報提供装置２０は、保険の適用が可能な支払い項目を、保険金が支払い済みであるか否かを示す情報とともに出力することができる。このため、情報提供装置２０によれば、保険契約者は、保険の未払いを容易に確認することができる。
【００７２】
情報提供装置２０は、医療情報に基づいて、ユーザが選択可能な治療方法の候補の一覧を作成することができる。また、情報提供装置２０は、候補の一覧と保険情報とを比較して、候補の一覧に対応する支払い項目を、保険の適用可否とともに出力する。このため、情報提供装置２０によれば、保険契約者は、保険を考慮したうえで治療方法の検討を行うことができる。
【００７３】
情報提供装置２０は、予め定められた特定の病気ごとのユーザがかかるリスクを示すスコアを、医療情報を基に計算することができる。情報提供装置２０は、特定の病気のうち、スコアが閾値以上である病気の一覧を、保険情報から取得した病気ごとの保険の適用の可否を示す情報とともにさらに出力することができる。このため、情報提供装置２０によれば、保険契約者は、保険の見直しを行うことができるようになる。
【００７４】
なお、図示した各装置の各構成要素は、必ずしも物理的に図示の如く構成されていることを要しない。すなわち、各装置の分散・統合の具体的形態は図示のものに限られず、その全部又は一部を、各種の負荷や使用状況などに応じて、任意の単位で機能的又は物理的に分散・統合して構成することができる。
【００７５】
また、情報提供装置２０で行われる各種処理機能は、ＣＰＵ（又はＭＰＵ、ＭＣＵ（Micro  Controller  Unit）等のマイクロ・コンピュータ）上で、その全部又は任意の一部を実行するようにしてもよい。また、各種処理機能は、ＣＰＵ（又はＭＰＵ、ＭＣＵ等のマイクロ・コンピュータ）で解析実行されるプログラム上、又はワイヤードロジックによるハードウエア上で、その全部又は任意の一部を実行するようにしてもよいことは言うまでもない。また、情報提供装置２０で行われる各種処理機能は、クラウドコンピューティングにより、複数のコンピュータが協働して実行してもよい。
【００７６】
ところで、上記の実施形態で説明した各種の処理は、予め用意されたプログラムをコンピュータで実行することで実現できる。そこで、以下では、上記の実施形態と同様の機能を有するプログラムを実行するコンピュータ（ハードウエア）の一例を説明する。図１６は、実施形態にかかる情報提供装置のハードウエア構成例を示すブロック図である。
【００７７】
図１６に示すように、情報提供装置２０は、各種演算処理を実行するＣＰＵ５０１と、データ入力を受け付ける入力装置５０２と、モニタ５０３と、スピーカ５０４とを有する。また、情報提供装置２０は、記憶媒体からプログラム等を読み取る媒体読取装置５０５と、各種装置と接続するためのインタフェース装置５０６と、有線又は無線により外部機器と通信接続するための通信装置５０７とを有する。また、情報提供装置２０は、各種情報を一時記憶するＲＡＭ５０８と、ハードディスク装置５０９とを有する。また、情報提供装置２０内の各部（５０１〜５０９）は、バス５１０に接続される。
【００７８】
ハードディスク装置５０９には、上記の実施形態で説明した認証部２３１、依頼部２３２、受信部２３３、作成部２３４、計算部２３５及び出力部２３６を実行するためのプログラム５１１が記憶される。また、ハードディスク装置５０９には、プログラム５１１が参照する各種データ５１２（認証情報２２１、保険情報２２２及び医療情報２２３など）が記憶される。入力装置５０２は、例えば、情報提供装置２０の操作者から操作情報の入力を受け付ける。モニタ５０３は、例えば、操作者が操作する各種画面を表示する。インタフェース装置５０６は、例えば印刷装置等が接続される。通信装置５０７は、ＬＡＮ（Local  Area  Network）等の通信ネットワークと接続され、通信ネットワークを介した外部機器との間で各種情報をやりとりする。
【００７９】
ＣＰＵ５０１は、ハードディスク装置５０９に記憶されたプログラム５１１を読み出して、ＲＡＭ５０８に展開して実行することで、各種の処理を行う。なお、プログラム５１１は、ハードディスク装置５０９に記憶されていなくてもよい。例えば、情報提供装置２０が読み取り可能な記憶媒体に記憶されたプログラム５１１を読み出して実行するようにしてもよい。情報提供装置２０が読み取り可能な記憶媒体は、例えば、ＣＤ−ＲＯＭやＤＶＤディスク、ＵＳＢ（Universal  Serial  Bus）メモリ等の可搬型記録媒体、フラッシュメモリ等の半導体メモリ、ハードディスクドライブ等が対応する。また、公衆回線、インターネット、ＬＡＮ等に接続された装置にこのプログラム５１１を記憶させておき、情報提供装置２０がこれらからプログラム５１１を読み出して実行するようにしてもよい。
【００８０】
以上の実施形態に関し、さらに以下の付記を開示する。
【００８１】
（付記１）ユーザ識別情報の入力を受け付けた場合、前記ユーザ識別情報に対応するユーザが契約する保険情報を管理する第１のサーバに対して前記保険情報の送信を依頼するとともに、前記ユーザの医療機関での診察に基づく医療情報を管理する第２のサーバに対して前記医療情報の送信を依頼し、
前記第１のサーバから前記保険情報を受信するとともに、前記第２のサーバから前記医療情報を受信し、
受信した前記保険情報と、前記医療情報を比較して、前記医療情報に含まれる保険の適用が可能な支払い項目を出力する、
処理をコンピュータに実行させることを特徴とする情報提供プログラム。
【００８２】
（付記２）前記医療情報に基づいて、前記ユーザが前記医療機関で受けた医療サービスの履歴の一覧を作成する処理をコンピュータにさらに実行させ、
前記出力する処理は、前記履歴の一覧と前記保険情報とを比較して、前記履歴の一覧に対応する支払い項目を、保険の適用可否とともに出力することを特徴とする付記１に記載の情報提供プログラム。
【００８３】
（付記３）前記出力する処理は、前記保険の適用が可能な支払い項目を、保険金が支払い済みであるか否かを示す情報とともに出力することを特徴とする付記１に記載の情報提供プログラム。
【００８４】
（付記４）前記医療情報に基づいて、前記ユーザが選択可能な治療方法の候補の一覧を作成する処理をコンピュータにさらに実行させ、
前記出力する処理は、前記候補の一覧と前記保険情報とを比較して、前記候補の一覧に対応する支払い項目を、保険の適用可否とともに出力することを特徴とする付記１に記載の情報提供プログラム。
【００８５】
（付記５）予め定められた特定の病気ごとの前記ユーザがかかるリスクを示すスコアを、前記医療情報を基に計算する処理をコンピュータにさらに実行させ、
前記出力する処理は、前記特定の病気のうち、前記スコアが閾値以上である病気の一覧を、前記保険情報から取得した前記病気ごとの保険の適用の可否を示す情報とともにさらに出力することを特徴とする付記１から４のいずれかに記載の情報提供プログラム。
【００８６】
（付記６）ユーザ識別情報の入力を受け付けた場合、前記ユーザ識別情報に対応するユーザが契約する保険情報を管理する第１のサーバに対して前記保険情報の送信を依頼するとともに、前記ユーザの医療機関での診察に基づく医療情報を管理する第２のサーバに対して前記医療情報の送信を依頼し、
前記第１のサーバから前記保険情報を受信するとともに、前記第２のサーバから前記医療情報を受信し、
受信した前記保険情報と、前記医療情報を比較して、前記医療情報に含まれる保険の適用が可能な支払い項目を出力する、
処理をコンピュータが実行することを特徴とする情報提供方法。
【００８７】
（付記７）前記医療情報に基づいて、前記ユーザが前記医療機関で受けた医療サービスの履歴の一覧を作成する処理をコンピュータがさらに実行し、
前記出力する処理は、前記履歴の一覧と前記保険情報とを比較して、前記履歴の一覧に対応する支払い項目を、保険の適用可否とともに出力することを特徴とする付記６に記載の情報提供方法。
【００８８】
（付記８）前記出力する処理は、前記保険の適用が可能な支払い項目を、保険金が支払い済みであるか否かを示す情報とともに出力することを特徴とする付記６に記載の情報提供方法。
【００８９】
（付記９）前記医療情報に基づいて、前記ユーザが選択可能な治療方法の候補の一覧を作成する処理をコンピュータがさらに実行し、
前記出力する処理は、前記候補の一覧と前記保険情報とを比較して、前記候補の一覧に対応する支払い項目を、保険の適用可否とともに出力することを特徴とする付記６に記載の情報提供方法。
【００９０】
（付記１０）予め定められた特定の病気ごとの前記ユーザがかかるリスクを示すスコアを、前記医療情報を基に計算する処理をコンピュータがさらに実行し、
前記出力する処理は、前記特定の病気のうち、前記スコアが閾値以上である病気の一覧を、前記保険情報から取得した前記病気ごとの保険の適用の可否を示す情報とともにさらに出力することを特徴とする付記６から９のいずれかに記載の情報提供方法。
【００９１】
（付記１１）ユーザ識別情報の入力を受け付けた場合、前記ユーザ識別情報に対応するユーザが契約する保険情報を管理する第１のサーバに対して前記保険情報の送信を依頼するとともに、前記ユーザの医療機関での診察に基づく医療情報を管理する第２のサーバに対して前記医療情報の送信を依頼する依頼部と、
前記第１のサーバから前記保険情報を受信するとともに、前記第２のサーバから前記医療情報を受信する受信部と、
受信した前記保険情報と、前記医療情報を比較して、前記医療情報に含まれる保険の適用が可能な支払い項目を出力する出力部と、
を有することを特徴とする情報提供装置。
【００９２】
（付記１２）前記医療情報に基づいて、前記ユーザが前記医療機関で受けた医療サービスの履歴の一覧を作成する作成部をさらに有し、
前記出力部は、前記履歴の一覧と前記保険情報とを比較して、前記履歴の一覧に対応する支払い項目を、保険の適用可否とともに出力することを特徴とする付記１１に記載の情報提供装置。
【００９３】
（付記１３）前記出力部は、前記保険の適用が可能な支払い項目を、保険金が支払い済みであるか否かを示す情報とともに出力することを特徴とする付記１１又は１２に記載の情報提供装置。
【００９４】
（付記１４）前記医療情報に基づいて、前記ユーザが選択可能な治療方法の候補の一覧を作成する作成部をさらに有し、
前記出力部は、前記候補の一覧と前記保険情報とを比較して、前記候補の一覧に対応する支払い項目を、保険の適用可否とともに出力することを特徴とする付記１１に記載の情報提供装置。
【００９５】
（付記１５）予め定められた特定の病気ごとの前記ユーザがかかるリスクを示すスコアを、前記医療情報を基に計算する計算部をさらに有し、
前記出力部は、前記特定の病気のうち、前記スコアが閾値以上である病気の一覧を、前記保険情報から取得した前記病気ごとの保険の適用の可否を示す情報とともにさらに出力することを特徴とする付記１１から１４のいずれかに記載の情報提供装置。
【符号の説明】
【００９６】
１…情報提供システム
１０ａ、１０ｂ…ユーザ端末
１１…入力部
１２…表示部
１３、２１…通信部
１４、２２…記憶部
１５、２３…制御部
２０…情報提供装置
３０…保険情報管理システム
４０…医療情報管理システム
１５１…要求部
２２１…認証情報
２２２…保険情報
２２３…医療情報
２２４…傷病情報
２２５…手術情報
２３１…認証部
２３２…依頼部
２３３…受信部
２３４…作成部
２３５…計算部
２３６…出力部
【図１】
2018180856.tif 000003
【図２】
2018180856.tif 000004
【図３】
2018180856.tif 000005
【図４】
2018180856.tif 000006
【図５】
2018180856.tif 000007
【図６】
2018180856.tif 000008
【図７】
2018180856.tif 000009
【図８】
2018180856.tif 000010
【図９】
2018180856.tif 000011
【図１０】
2018180856.tif 000012
【図１１】
2018180856.tif 000013
【図１２】
2018180856.tif 000014
【図１３】
2018180856.tif 000015
【図１４】
2018180856.tif 000016
【図１５】
2018180856.tif 000017
【図１６】
2018180856.tif 000018